(57)【要約】【課題】スイッチのアクチュエータを押し込むカムの移動方向とアクチュエータの移動方向が異なる場合においても、アクチュエータを押し込んだ状態からスイッチを復帰させる際に、アクチュエータを更に押し込んだ後、元の状態に復帰させる。【解決手段】アクチュエータ３ａの押圧部に凸部２ｂを有し、アクチュエータ３ａの移動スイッチ３方向に対して直交方向に移動するカム３を備え、アクチュエータ３ａを押し込んだ状態から復帰させる際に、アクチュエータ３ａを更に押し込んだ後、元の状態に復帰させる。【選択図】図２
2011138620.tif 000002
【特許請求の範囲】
【請求項１】
アクチュエータが押し込まれると内部接点が切り換わり、前記アクチュエータを押し込む操作が解除されると前記切り換わっている内部接点が元の状態に復帰する自己復帰動作を行なうスイッチの操作装置において、前記アクチュエータの押圧部を有するスイッチ操作部材を備え、前記アクチュエータを押圧した状態から復帰させる際に、前記アクチュエータを更に押し込んだ後、元の状態に復帰させる凸部を前記押圧部に設けたことを特徴とするスイッチの操作装置。
【請求項２】
前記アクチュエータの押圧部を有し、前記スイッチ操作部材で押し動かされる回転体を備え、前記アクチュエータを押圧した状態から復帰させる際に、前記アクチュエータを更に押し込んだ後、元の状態に復帰させる凸部を前記押圧部に設けた請求項１記載のスイッチの操作装置。
【請求項３】
前記凸部は、スイッチ操作部材の移動に応じて前記アクチュエータを押圧できる形状とする、ことを特徴とする請求項１または請求項２記載のスイッチの操作装置。
【発明の詳細な説明】
【技術分野】
【０００１】
この発明は、自動復帰するスイッチの復帰不良を有効に防止できるスイッチの操作装置に関するものである。
【背景技術】
【０００２】
自己復帰するスイッチが操作部材によって押し込まれた状態で放置されると、スイッチ内部の復帰バネの機械的な劣化や、スイッチに対して外部から及ぼされる例えば塵の侵入や温度変化などの様々な要因により、スイッチが復帰しなくなる可能性が生じることがある。
【０００３】
上記した課題を解決するために従来、自己復帰するスイッチのアクチュエータの移動方向と同一方向に移動して該アクチュエータを操作するスイッチ操作機構と、スイッチ操作機構によりスイッチのアクチュエータが押し込まれている状態を解除する際に、アクチュエータに対して押し込まれている状態から更に押し込む方向へ押しこみ動作を実行した後、アクチュエータの押し込まれている状態を解除する押しこみ動作制御手段とを備えたスイッチの操作装置が知られている（例えば、特許文献１参照）。
【０００４】
【特許文献１】特開平１０−１３４４６８号公報
【発明の開示】
【発明が解決しようとする課題】
【０００５】
上記した特許文献１に開示された技術によれば、アクチュエータを操作するスイッチ操作機構の移動方向とアクチュエータの移動方向は同じである。しかしながら、アクチュエータの移動量が大きかったり、少なかったりすると、スイッチ自体にダメージを与え、あるいは押し込み量が不足して効果が不十分であったりする可能性がある。また、それを回避するために、温度補正等複雑なプログラム処理が必要になっていた。
更に、アクチュエータを押し込むスイッチ操作機構の移動方向とアクチュエータの移動方向が異なる場合、例えば、アクチュエータの移動方向に対して直交方向にスイッチ操作機構が移動する場合、上記の処理を実現すること事態に無理があった。
【０００６】
この発明は上記した課題を解決するためになされたものであり、簡単な構造により、スイッチのアクチュエータを押し込むカムの移動方向とアクチュエータの移動方向が異なる場合においても、アクチュエータを押し込んだ状態からスイッチを復帰させる際に、アクチュエータを更に押し込んだ後、元の状態に復帰させることのできるスイッチの操作装置を提供することを目的とする。
【課題を解決するための手段】
【０００７】
この発明に係るスイッチの操作装置は、アクチュエータを押圧した状態から復帰させる際に、アクチュエータを更に押し込んだ後、元の状態に復帰させる凸部を押圧部に設けたものである。
【発明の効果】
【０００８】
この発明のスイッチの操作装置によれば、簡単な構造により、スイッチ操作機構の移動方向とアクチュエータの移動方向が異なる場合においても、アクチュエータを押し込んだ状態からスイッチを復帰させる際に、アクチュエータを更に押し込んだ後、元の状態に復帰させることができる。
【発明を実施するための最良の形態】
【０００９】
実施の形態１．
図１は、この発明の実施の形態１に係るスイッチの操作装置が適用されるディスクローディング装置を搭載した車載用コンパクトディスクプレイヤ（以下、ＣＤプレーヤという）の基本的な構成を示す平面図である。
【００１０】
図１において、ＣＤプレーヤ筐体（以下、筐体という）１には、ディスクの搬入および排出動作に伴い動作するスイッチ操作部材としてのカムプレート２（以下、単にカムと称する）、ディスク搬入動作完了位置検出用のスイッチ３、ＣＤプレーヤ制御用基板４が設けられ、筐体１に対しディスク５が着脱される。カム２には、スイッチ３のアクチュエータ３ａを押し込む押圧部２ａを有し、この押圧部２ａには、アクチュエータ３ａを押し込んだ状態から、更に押し込んだ後、元の状態に復帰させる凸部２ｂが設けられている。
【００１１】
なお、図示省略したが、カム２はスリットを有し、このスリットを通るガイドピンにより支えられているものとし、また、ＣＤプレーヤ制御用基板４上にはＣＰＵ(Central Processing Unit)を含む制御回路部品が実装されている。
【００１２】
図２（ａ）（ｂ）（ｃ）は、この発明の実施の形態１に係るスイッチの操作装置の動作を説明するために示した図である。
ここでは、カム２は、アクチュエータ３ａの移動方向に対し、直交方向に移動し、カム２の押圧部２ａでアクチュエータ３ａを押し込んでスイッチ３の内部接点を切り換えている。
【００１３】
以下、ＣＤプレーヤのディスク搬入および排出動作について、図２（ａ）（ｂ）（ｃ）を参照しながらカム２の動きを中心に説明する。
【００１４】
図２（ａ）の状態からディスク５の搬入動作が行われるとき、カム２はディスク搬入動作に伴い、図２（ａ）に示す状態から矢印で示す下側方向に動いて押圧部２ａでアクチュエータ３ａを押し込み、更に凸部２ｂでアクチュエータ３ａを押し込む。（図２（ｂ））。この結果、スイッチ３がオンになり、ＣＤプレーヤ制御用基板４上の制御装置はディスク５の搬入動作が完了したと判断し、一定時間もしくは一定の距離を空走し停止する。そして、ディスク５の搬入動作を終了させるとともにカム２は凸部２ｂがアクチュエータ３ａを乗り越え押圧部２ａでアクチュエータ３ａを押し込んだ状態で停止して図２（ｃ）に示す状態になる。このとき、スイッチ３はオン状態となっている。
【００１５】
次に、筐体１に対してディスク５の搬入動作が完了した図２（ｃ）に示す状態で、筐体１の外部の図示しない検出部、あるいは操作部等から制御装置に対してディスクイジェクト命令が入力されると、制御装置はイジェクト命令を出力してディスク排出動作が開始される。このときカム２の凸部２ｂは、図２（ｃ）に示す状態から、図２（ｂ）に示す状態になってアクチュエータ３ａを更に一度押し込む。
【００１６】
そして、カム２が図２（ｂ）に示す状態から図２（ａ）に示す状態になるまで移動すると、カム２の押圧部２ａにより解放されて、アクチュエータ３ａは自己復帰する。
【００１７】
上記したように、実施の形態１によれば、カム２の移動方向がアクチュエータ３ａの移動方向に対し直交方向であっても、アクチュエータ３ａを押し込んだ状態からスイッチ３を復帰させる際、その状態からアクチュエータ３ａを一旦更に押し込んだ後、元の状態に復帰させることができる。
【００１８】
この結果、アクチュエータ３ａがカム２によって押し込まれた状態で放置され、スイッチ３内部の復帰バネの機械的な劣化や、スイッチ３に対して外部から及ぼされる、例えば塵の侵入や温度変化などの様々な要因により、アクチュエータ３ａが押し込まれた状態から復帰しなくなった場合であっても、スイッチ３内部での引っかかり等を取り除き、また、復帰バネを押し込むことによりバネの復元力を増大させることで復帰不良の発生を防ぐことができる。
【００１９】
実施の形態２．
図３（ａ）（ｂ）（ｃ）は、この発明の実施の形態２に係るスイッチの操作装置の動作を説明するために示した図である。
なお、以下に説明する実施の形態２においても図１に示すＣＤプレーヤへの適用例を説明するものとし、ここでは、扇形状を有する回転体１２を用いる。
【００２０】
この回転体１２は、ディスク５の搬入出に伴い移動するカム２により、一方の端部１２ａが押圧されてアクチュエータ３ａの移動軸方向に対し直交方向に回転駆動され、回転体１２の他方の端部１２ｂの周面でアクチュエータ３ａを押し込むとともに、端部１２ｂの周面に設けられた凸部１２ｂ−１でアクチュエータ３ａを更に押し込む構造である。
【００２１】
以下、ＣＤプレーヤのディスク搬入および排出動作について、図３（ａ）（ｂ）（ｃ）を参照しながら回転体１２の動きを中心に説明する。
【００２２】
図３（ａ）の状態からディスク５の搬入動作が行われるとき、回転体１２の一方の端部１２ａは、ディスク５の搬入動作に伴いカム２により押され、図３（ａ）に示す状態から時計廻りに回転動作を開始し、他方の端部１２ｂの周面でアクチュエータ３ａを押し込むとともに、端部１２ｂの周面に設けられた凸部１２ｂ−１でアクチュエータ３ａを更に押し込む（図３（ｂ））。この結果、スイッチ３がオンになると、ＣＤプレーヤ制御用基板４上の制御装置はディスク搬入動作が完了したと判断し、一定時間もしくは一定の距離を空走し停止する。そして、ディスク搬入動作を終了させるとともに回転体１２は凸部１２ｂ−１がアクチュエータ３ａを乗り越え端部１２ｂの周面でアクチュエータ３ａを押し込んだ状態で停止して図３（ｃ）に示す状態になる。このとき、スイッチ３はオン状態となっている。
【００２３】
筐体１に対してディスク５の搬入動作が完了した図３（ｃ）に示す状態で、筐体１外部の図示しない検出部、あるいは操作部等から制御装置に対してディスクイジェクト命令が入力されると、制御装置はイジェクト命令を出力してディスク排出動作が開始される。このとき回転体１２は、図３（ｃ）に示す状態から反時計方向に回転することにより、図３（ｂ）に示す状態になって、凸部１２ｂ−１でアクチュエータ３ａを更に一度押し込む。そして、回転体１２が更に回転して図３（ａ）の状態になると、アクチュエータ３ａの押し込みを解放する。
【００２４】
上記したように、実施の形態２によれば、回転体１２により、アクチュエータ３ａを押し込んだ状態から復帰させる際、その押し込んだ状態から凸部１２ｂ−１でアクチュエータ３ａを一旦更に押し込んだ後、元の状態に復帰させることができる。
【００２５】
このため、アクチュエータ３ａがカム２によって押し込まれた状態で放置され、スイッチ３内部の復帰バネの機械的な劣化や、スイッチ３に対して外部から及ぼされる例えば塵の侵入や温度変化などの様々な要因により、アクチュエータ３ａが押し込まれた状態から復帰しなくなった場合であっても、スイッチ３内部での引っかかり等を取り除き、また、復帰バネを押し込むことによりバネの復元力を増大させることで復帰不良の発生を防ぐことができる。
【００２６】
図４は、アクチュエータ３ａの動きを、横軸にカム２の変位、縦軸にアクチュエータ３ａのストロークを目盛ったグラフで示している。以下、このグラフを参照しながらアクチュエータ３ａの動きについて説明する。
【００２７】
図４に示されるように、カム２は、スイッチ３のＯＮの領域でアクチュエータ３ａのストロークをオーバーシュートさせてから、オフの領域に遷移するように動作する。つまりカム２の凸部２ｂまたは回転体１２の凸部１２ｂ−１は、例えば、テーパ形状、曲線状等、アクチュエータ３ａを一度押し込む動作が実現できる形状であれば問題ない。
すなわち、カム２のアクチュエータ３ａの押圧部２ａに設けられた凸部２ｂまたは回転体１２の凸部１２ｂ−１の形状は、アクチュエータ３ａを更に押し込んでから元の状態に復帰させることができる形状であればよい。
【００２８】
以上説明したように、この発明の実施の形態１および実施の形態２におけるスイッチの操作装置によれば、アクチュエータ３ａを押し込むカム２（回転体１２）の移動方向がアクチュエータ３ａの移動方向に対し直交方向であっても、アクチュエータ３ａを押し込んだ状態から復帰させる際に、アクチュエータ３ａを更に押し込んだ後、元の状態に復帰させることができる。この結果、アクチュエータ３ａの復帰不良の発生を確実に防止することができる。
【００２９】
なお、上記した実施の形態１、実施の形態２によれば、自己復帰するスイッチ３を用いたＣＤプレーヤについてのみ説明したが、ＣＤプレーヤに制限されるものではなく、自己復帰するスイッチ３を用いた装置であればいずれの装置にも適用することができる。
【図面の簡単な説明】
【００３０】
【図１】この発明の実施の形態１に係るスイッチの操作装置が適用されるディスクローディング装置を搭載した車載用ＣＤプレーヤの基本的な構成を示す図である。
【図２】この発明の実施の形態１に係るスイッチの操作装置のＣＤプレーヤのディスク搬入および排出動作時における動作を説明するために示した図である。
【図３】この発明の実施の形態２に係るスイッチの操作装置のＣＤプレーヤのディスク搬入および排出動作時における動作を説明するために示した図である。
【図４】この発明の実施の形態１に係るスイッチの操作装置の動作をグラフ上に模式的に示した図である。
【符号の説明】
【００３１】
１  筐体、２  カム、２ａ  押圧部、２ｂ、１２ｂ−１  凸部、３  スイッチ、３ａ  アクチュエータ、４  基板、５  ディスク、１２  回転体、１２ａ，１２ｂ  端部。
【図１】
2011138620.tif 000003
【図２】
2011138620.tif 000004
【図３】
2011138620.tif 000005
【図４】
2011138620.tif 000006